(57)【特許請求の範囲】
【請求項１】
それぞれ受孔（２）を有する一連の環状支持体（１）が相互に結合されて順次に配置され、各受孔（２）内にヘッド（３）及びシャフト（４）を有する固定素子（５）を保持するフィードベルトにおいて、互いに隣接する一対の支持体（１）を、受孔（２）の中心軸線方向で互いに所定量だけオフセットさせると共にフィードベルトの長手方向で互いに密接させて配置することにより、互いに隣接する支持体（１）の受孔（２）にセットした固定素子（５）のヘッド（３）が、受孔（２）の軸線方向投影面内で互いに部分的に重なるように、固定素子（５）をヘッド（３）の外周部で支持体（１）により保持することを特徴とするフィードベルト。
【請求項２】
請求項１記載のフィードベルトにおいて、各支持体（１）が、固定素子（５）をヘッド（３）の外周部で付加的に抑止する少なくとも１個の抑止素子（８）を具えることを特徴とするフィードベルト。
【請求項３】
請求項２記載のフィードベルトにおいて、各支持体（１）について２個の抑止素子（８）を具えることを特徴とするフィードベルト。
【請求項４】
請求項１〜３の何れか一項に記載のフィードベルトにおいて、互いに隣接する２個の支持体（１）の中心軸線方向におけるオフセット量を、これら支持体（１）間の軸間距離の０．０２〜０．２倍としたことを特徴とするフィードベルト。
【請求項５】
請求項１〜４の何れか一項に記載のフィードベルトにおいて、各支持体（１）の第１端部（６）を、フィードベルトの一側（Ｓ１）で、受孔（２）の中心軸線に対して６０°〜９８°の角度（Ｗ）で延在する平面（Ｅ）内に配置したことを特徴とするフィードベルト。
【請求項６】
請求項５記載のフィードベルトにおいて、前記第１端部（６）とは反対側に位置する各支持体（１）の第２端部（７）から固定素子（５）をヘッド（３）の外周部で付加的に抑止する少なくとも１個の抑止素子（８）を突出させて設けたことを特徴とするフィードベルト。
【請求項７】
請求項６記載のフィードベルトにおいて、前記抑止素子（８）は、前記第２端部（７）に対して軸線方向に所定の距離（Ｌ２）だけ離間して対向すると共に軸線方向の投影面内で受孔（２）の内径の内方まで突出する抑止面（９）を具えることを特徴とするフィードベルト。
【請求項８】
請求項７記載のフィードベルトにおいて、前記所定の距離（Ｌ２）は、互いに隣接する２個の支持体（１）に係る軸間距離（Ｌ１）の０．０２〜０．２倍としたことを特徴とするフィードベルト。
【請求項９】
請求項１〜８の何れか一項に記載のフィードベルトにおいて、支持体（１）を略楕円断面形状に形成し、その長径（Ｄ）をフィードベルトの長手方向と平行に延在させることを特徴とするフィードベルト。
【請求項１０】
請求項９記載のフィードベルトにおいて、支持体（１）の長径（Ｄ）を、互いに隣接する支持体（１）に係る軸間距離（Ｌ１）よりも大としたことを特徴とするフィードベルト。
【請求項１１】
請求項６〜８の何れか一項に記載のフィードベルトにおいて、互いに隣接する２個の支持体（１）の結合領域で、第１支持体（１）の第２端部（７）から、これに隣接する第２支持体（１）の第２端部まで延在する凹部を具え、該第２支持体（１）は受孔（２）の中心軸線方向で第１支持体（１）に対してオフセットさせて配置したことを特徴とするフィードベルト。
【請求項１２】
請求項１〜１１の何れか一項に記載されたフィードベルトと、該フィードベルト内に保持され、かつ、シャフト（４）及びヘッド（３）を有する複数個の固定素子（５）とを具えることを特徴とする固定素子マガジン。
【発明の詳細な説明】
【０００１】
【技術分野】
本発明は、請求項１の前段に記載された構成の、固定素子用フィードベルトに関するものである。
【０００２】
【従来技術】
釘状の固定素子を基盤に打ち込むための手持ち式装置において、固定素子を打ち込み装置に対して順次に補給するため、複数の支持体を連続的に配置してなるフィードベルトが公知であり、これらの支持体では各１個の固定素子を支持体の受孔内で同軸的に保持している。
【０００３】
上述の構成を有するフィードベルトは、例えば、スイス特許第５８８９２６号明細書に開示されている火薬力作動型の打ち込み装置に使用されるものである。
フィードベルトはマガジンに装着可能である。マガジンは、打ち込み装置における打ち込み方向側の領域内に配置した固定素子ガイド部材の中心軸線に関して、当該ガイド部材から垂直に突出する。このようなマガジンの配置により、各固定点に対するアクセスが大幅に損なわれる。
【０００４】
【発明の課題】
本発明の課題は、固定素子の装着及び打ち出しを容易かつ確実に行うことができ、しかも、固定点へのアクセスを向上させる角度下で固定素子ガイド部材に補給可能とし、多数の固定素子を装着したものであるにも拘わらず全長を可能な限り短縮することのできるフィードベルトを提案することにある。
【０００５】
【課題の解決手段】
この課題を解決するため、本発明は、それぞれ受孔を有する一連の環状支持体が相互に結合されて順次に配置され、各受孔内にヘッド及びシャフトを有する固定素子を保持するフィードベルトにおいて、互いに隣接する一対の支持体を、受孔の中心軸線方向で互いに所定量だけオフセットさせると共にフィードベルトの長手方向で互いに密接させて配置することにより、互いに隣接する支持体の受孔にセットした固定素子のヘッドが、受孔の軸線方向投影面内で互いに部分的に重なるように、固定素子をヘッドの外周部で支持体により保持することを特徴とするものである。
【０００６】
本発明の上記構成によれば、フィードベルトは鋭角で固定素子ガイド部材に補給され、固定素子の中心軸線は固定素子ガイド部材に対して平行に延在する。
【０００７】
互いに隣接する支持体相互間のオフセット量は、マガジンが固定素子ガイド部材から突出する角度に依存する。オフセット量は、互いに隣接する２個の支持体に係る軸間距離の０．０２〜０．２倍とするのが好適である。
【０００８】
各支持体の第１端部をフィードベルトの第１側で共通面内に配置し、この平面は受孔の中心軸線に対して６０°〜９８°の角度で延在させる。この場合には、フィードベルトの第１側でフィードベルトの十分な支持面積を確保することが可能である。
【０００９】
前述したとおり、各受孔は、例えば、ねじとして形成した固定素子を保持すると共にこれをガイドするものである。各固定素子のシャフトは支持体の受孔を貫通し、各固定素子のヘッドは支持体の第１端部上に位置する。この固定素子を受孔内で軸線方向に固定するため、少なくとも１個の抑止素子を設けるのが好適である。この抑止素子は、第１端部とは反対側に位置する支持体の第２端部から突出する。この支持体は、第２端部から軸線方向に所定距離だけ離間した抑止面を有し、その抑止面は第２端部に対向すると共に、軸線方向投影面内で受孔の内径よりも内方に突出する。
【００１０】
固定素子を支持体に対して軸線方向で遊びなしに位置決めするため、抑止面と第２端部との間隔は、固定素子の中心軸線方向に測った固定素子のヘッド高に応じて調整される。その間隔は、互いに隣接する２個の支持体に係る軸間距離の０．０２〜０．２倍とするのが好適である。
【００１１】
フィードベルトに配置した固定素子のガイド特性を更に向上させるため、各支持体について、互いに直径上に対向する２個の抑止素子を設けるのが好適である。これらの抑止素子は、例えば、フィードベルトの長手方向軸線に対して側方にオフセットして配置される。これらの抑止素子の最大寸法は、例えば、フィードベルトの長手方向と平行に延在する。
【００１２】
支持体は、ほぼ楕円形状に形成するのが好適であり、その長径はフィードベルトの長手方向と平行に延在する。この長径は、例えば、フィードベルト内に配置した固定素子のヘッドの直径に一致する。その結果、フィードベルト内に配置した固定素子のヘッドが支持体の受孔に突出せず、支持体の第２端部の二部分上に位置する。これらの二部分については、後述する。ねじのヘッドを部分的に把持する抑止面を有する既述の抑止素子が、固定素子を支持体に対して軸線方向に位置決めする。
【００１３】
第２端部と抑止面との間に延在する抑止素子の内周輪郭は、支持体の内周輪郭とほぼ同一線上に位置し、固定素子をフィードベルトに装着する際に、対応する受孔を半径方向に拡開させる。そのため、受孔は最終的にほぼ円形の形状を有する。これらの受孔が拡開するのは、抑止素子の内周輪郭が固定素子のヘッドの外周輪郭に当接するからである。
【００１４】
従って、固定素子は、各受孔の結合領域内に位置する第２端部の部分を介してのみ、打ち込み方向で軸線方向に当接可能となる。抑止素子の領域では、固定素子のヘッドが第２端部上には位置しない。
【００１５】
打ち込み装置と結合し、固定素子を基盤に打ち込み可能とする工具を使用することにより、固定素子をフィードベルトから打ち出すことができる。打ち込み装置に押圧力が加わると、工具は固定素子のヘッドを押圧する。押圧力が十分であれば、対応する支持体は、支持体の結合領域において半径方向に拡開し、第２端部の部分はヘッドの軸線方向投影面内に突出しなくなる。
【００１６】
フィードベルトを可能な限り短く形成するため、上述したとおり、本発明では、互いに隣接する支持体の受孔にセットした固定素子のヘッドが、受孔の軸線方向投影面内で互いに部分的に重なるよう、支持体をフィードベルトの長手方向で互いに密接させて配置するものである。すなわち，支持体の最大径は、隣接する支持体の軸間距離よりも大とする。したがって、各固定素子は、直下の固定素子が除去された場合にのみ、フィードベルトから連続的に打ち出すことができる。互いに隣接する支持体のオフセット量は、少なくとも固定素子のヘッドの高さに一致する。
【００１７】
製造技術上の理由により、互いに隣接する支持体の結合領域において、第１支持体の第２端部から隣接した第２支持体の第２端部まで延在する凹部を設けるのが有利であり、この場合に第２支持体は、受孔の中心軸線方向で第１支持体に対してオフセットして配置される。
【００１８】
本発明によるフィードベルトと、フィードベルトにより保持され、シャフト及びヘッドを有する固定素子とを具える固定素子マガジンは、打ち込み装置に対して容易かつ迅速に装着することが可能である。
【００１９】
【実施の形態】
以下，本発明を図示の好適な実施形態について更に具体的に説明する。
【００２０】
図１及び図２に示したフィードベルトは、それぞれ受孔２を有する複数の環状支持体１から構成される。支持体１は互いに結合され、相前後して列状に配置されている。各支持体１は固定素子５を保持するものであり、第１端部６及び第２端部７を有する。
【００２１】
全ての第１端部６が配置されたフィードベルトの側を第１側Ｓ１、全ての第２端部７が配置されたフィードベルトの側を第２側Ｓ２と称する。全ての第１端部６は、各受け室の中心軸線に対して鋭角Ｗで延在すると共に単一の平面Ｅ内に配置されている。
【００２２】
直径線上で互いに対向する２個の抑止素子８は、各支持体１の第２端部７から突出する。各抑止素子８は、フィードベルトの長手方向軸線に対して側方にオフセットして配置されると共に、最大寸法がフィードベルトの長手方向軸線に対して平行に延在する抑止面９を具える。抑止面９は第２端部７に対向して離間配置され、受孔２の軸線方向に見た投影面内で受孔２の内径の内方まで突出する。
【００２３】
図２に示すように、各支持体１は略楕円形状を有する。支持体１の長径は、フィードベルトの長手方向と平行に延在する。第２端部７と抑止面９との間における抑止素子８の部分は、受孔２に対向する内周輪郭を有する。この内周輪郭は、支持体１の当接する部分の内周輪郭に対してほぼ平行に延在する。隣接する２個の支持体１に係る軸間距離Ｌ１は、各支持体１におけるフィードベルトの長手方向と平行に延在する長径Ｄよりも小とする。支持体１の最小肉厚を符号Ｓで示す。
【００２４】
互いに隣接する２個の支持体の結合領域において、支持体１の外周輪郭に設けた凹所１０は、第１支持体１の第２端部７から第２支持体１の第２端部７まで延在し、その第２支持体１は、両支持体１の中心軸線方向で第１支持体に対してオフセットして配置されている。
【００２５】
図３に示した釘マガジンにおいて、ねじ形状とした固定素子５のシャフト４は、支持体１の受孔２を貫通する。受孔２の内径は、ねじの側面領域におけるシャフト４の外径よりも大きい。固定素子５のシャフト４よりも大径としたヘッド３は、対応する支持体１の第２端部７上に位置する。抑止素子８の抑止面９により、固定素子５は軸線方向でフィードベルトに対して位置決めされる。図４に示すように、抑止素子は固定素子５のヘッド３を部分的に保持する。抑止面９と第２端部との間隔Ｌ２は、固定素子５のヘッド高にほぼ一致する。
【図面の簡単な説明】
【図１】  本発明によるフィードベルトの一実施形態を示す断面図である。
【図２】  図１に示したフィードベルトの平面図である。
【図３】  本発明によるフィードベルトで複数の釘を保持する釘マガジンを示す側面図である。
【図４】  図３に示した釘マガジンの平面図である。
【符号の説明】
１  支持体
２  受孔
４  シャフト
５  固定素子
６  第１端部
７  第２端部
８  抑止素子
９  抑止面
１０  凹所
【図１】
0004570189.tif 000002
【図２】
0004570189.tif 000003
【図３】
0004570189.tif 000004
【図４】
0004570189.tif 000005